(57)【要約】【課題】番組自動録画の制御により、ＨＤＤ等の記憶資源を有効活用することが可能な録画制御装置を提供すること。【解決手段】本発明の一実施形態に係る録画制御装置は、複数チャンネルの夫々に対して録画時間帯及び録画日数を設定する録画設定手段と、前記複数チャンネルの放送信号から１チャンネルの放送信号を選局する複数の選局手段と、前記複数チャンネルの夫々の前記設定録画時間帯に基づき、前記複数の選局手段の夫々により選局される前記複数チャンネルの夫々の放送信号の録画を制御する録画制御手段と、前記録画制御手段の制御により録画された録画データの視聴履歴を収集する視聴履歴収集手段と、前記視聴履歴に含まれた各チャンネルの視聴頻度に基づき、前記複数チャンネルの夫々に対して設定された録画日数を変更する変更手段と、を備えている。【選択図】      図１
2010041079.tif 000002
【特許請求の範囲】
【請求項１】
複数チャンネルの夫々に対して録画時間帯及び録画日数を設定する録画設定手段と、
前記複数チャンネルの放送信号から１チャンネルの放送信号を選局する複数の選局手段と、
前記複数チャンネルの夫々の前記設定録画時間帯に基づき、前記複数の選局手段の夫々により選局される前記複数チャンネルの夫々の放送信号の録画を制御する録画制御手段と、
前記録画制御手段の制御により録画された録画データの視聴履歴を収集する視聴履歴収集手段と、
前記視聴履歴に含まれた各チャンネルの視聴頻度に基づき、前記複数チャンネルの夫々に対して設定された録画日数を変更する変更手段と、
を備えたことを特徴とする録画制御装置。
【請求項２】
複数チャンネルの夫々に対して録画時間帯を設定する録画設定手段と、
前記複数チャンネルの放送信号から１チャンネルの放送信号を選局する複数の選局手段と、
前記複数チャンネルの夫々の前記設定録画時間帯に基づき、前記複数の選局手段の夫々により選局される前記複数チャンネルの夫々の放送信号の録画を制御する録画制御手段と、
前記録画制御手段の制御により録画された録画データの視聴履歴を収集する視聴履歴収集手段と、
前記視聴履歴に含まれた各チャンネルの時間帯別の視聴頻度に基づき、前記複数チャンネルの夫々の前記設定録画時間帯を変更する変更手段と、
を備えたことを特徴とする録画制御装置。
【請求項３】
前記変更手段により変更された前記複数チャンネルの夫々の変更録画時間帯のうち、所定チャンネルの所定変更録画時間帯は、前記所定チャンネルにおいて基準値より高い視聴頻度が得られた時間帯を含み、且つ前記所定チャンネルにおいて前記基準値以下の視聴頻度が得られた時間帯を含まないことを特徴とする請求項２に記載の録画制御装置。
【請求項４】
前記録画設定手段は、前記複数チャンネルの夫々の前記設定録画時間帯に対応して、前記複数チャンネルの夫々の録画日数を設定し、
前記録画制御手段は、前記複数チャンネルの夫々の前記設定録画時間帯及び前記複数チャンネルの夫々の前記設定録画日数に基づき、前記複数の選局手段の夫々により選局される前記複数チャンネルの夫々の放送信号の録画を制御し、
前記変更手段は、前記複数チャンネルの夫々の前記設定録画時間帯を前記複数チャンネルの夫々の前記変更録画時間帯へ変更したことに対応して、前記複数チャンネルの夫々の前記設定録画日数へ変更する、
ことを特徴とする請求項２に記載の録画制御装置。
【請求項５】
前記変更手段は、前記所定チャンネルの前記設定録画時間帯を短縮した場合、前記所定チャンネルの設定録画日数を延長する、ことを特徴とする請求項４に記載の録画制御装置。
【請求項６】
前記変更手段は、前記視聴履歴に含まれた前記複数チャンネルの時間帯別及び曜日別の視聴頻度に基づき、前記複数チャンネルの夫々に対して設定された前記設定録画時間帯を曜日別に変更することを特徴とする請求項２に記載の録画制御装置。
【請求項７】
前記複数チャンネルに対応した電子番組情報を取得する取得手段と、
前記複数チャンネルの夫々に対して前記設定録画時間帯による録画が設定されたことを示す時間帯録画情報を含む前記電子番組情報を表示するための表示情報を出力する出力手段と、
を備えたことを特徴とする請求項２に記載の録画制御装置。
【請求項８】
前記録画設定手段は、前記電子番組情報に含まれる番組選択に対応し、選択番組の録画を設定し、
前記出力手段は、前記複数チャンネルの夫々に対して前記設定録画時間帯による録画が設定されたことを示す時間帯録画情報、及び番組選択による録画が設定されたことを示す番組選択録画情報を含む前記電子番組情報を表示するための表示情報を出力する、
ことを特徴とする請求項７に記載の録画制御装置。
【請求項９】
複数チャンネルの夫々に対して録画時間帯を設定し、
前記複数チャンネルの夫々の設定録画時間帯に基づき、複数の選局手段の夫々により選局される前記複数チャンネルの夫々の放送信号の録画を制御し、
前記録画制御により録画された録画データの視聴履歴を収集し、
前記視聴履歴に含まれた前記複数チャンネルの時間帯別の視聴頻度に基づき、前記複数チャンネルの夫々の前記設定録画時間帯を変更する、
ことを特徴とする録画制御方法。
【発明の詳細な説明】
【技術分野】
【０００１】
この発明は、地上デジタル放送及び衛星デジタル放送等の録画を制御する録画制御装置及び録画制御方法に関する。
【背景技術】
【０００２】
既に、ＤＶＤ又はＨＤＤ等に対して番組を録画する録画装置が普及しており、さらに、録画予約時に、記録メディアの残りの容量を計算し、ユーザに予約録画可能かどうかを伝える技術なども提案されている（特許文献１参照）。
【０００３】
また、複数チューナを搭載し、複数番組を同時に録画することが可能な録画装置も登場している。例えば、複数番組の同時録画において、ＥＰＧ（電子番組ガイド）を基に各番組のビットレートから求めた総合ビットレートがメモリ処理を超えないように録画番組数を決定する技術が提案されている（特許文献２参照）。
【特許文献１】再公表特許２００２／０２８１００
【特許文献２】特開２０００−２１７０６３号公報
【発明の開示】
【発明が解決しようとする課題】
【０００４】
近年、録画装置に搭載されるＨＤＤの容量は飛躍的に増え、これに伴い、自動録画に対する感心が高まっている。つまり、ユーザが録画したい番組を一つ一つ録画設定するのではなく、録画装置が一定の条件に基づき所定チャンネルを自動録画する技術である。
【０００５】
但し、録画装置に搭載されるＨＤＤの容量が飛躍的に増加したとはいえ、ＨＤＤの容量は有限である。従って、有限なＨＤＤの記憶容量を効率よく使用した自動録画技術が望まれている。
【０００６】
本発明の目的は、番組自動録画の制御により、ＨＤＤ等の記憶資源を有効活用することが可能な録画制御装置及び録画制御方法を提供することにある。
【課題を解決するための手段】
【０００７】
この発明の一実施形態に係る録画制御装置は、複数チャンネルの夫々に対して録画時間帯及び録画日数を設定する録画設定手段と、前記複数チャンネルの放送信号から１チャンネルの放送信号を選局する複数の選局手段と、前記複数チャンネルの夫々の前記設定録画時間帯に基づき、前記複数の選局手段の夫々により選局される前記複数チャンネルの夫々の放送信号の録画を制御する録画制御手段と、前記録画制御手段の制御により録画された録画データの視聴履歴を収集する視聴履歴収集手段と、前記視聴履歴に含まれた各チャンネルの視聴頻度に基づき、前記複数チャンネルの夫々に対して設定された録画日数を変更する変更手段と、を備えている。
【０００８】
この発明の一実施形態に係る録画制御装置は、複数チャンネルの夫々に対して録画時間帯を設定する録画設定手段と、前記複数チャンネルの放送信号から１チャンネルの放送信号を選局する複数の選局手段と、前記複数チャンネルの夫々の前記設定録画時間帯に基づき、前記複数の選局手段の夫々により選局される前記複数チャンネルの夫々の放送信号の録画を制御する録画制御手段と、前記録画制御手段の制御により録画された録画データの視聴履歴を収集する視聴履歴収集手段と、前記視聴履歴に含まれた各チャンネルの時間帯別の視聴頻度に基づき、前記複数チャンネルの夫々の前記設定録画時間帯を変更する変更手段と、を備えている。
【０００９】
この発明の一実施形態に係る録画制御方法は、複数チャンネルの夫々に対して録画時間帯を設定し、前記複数チャンネルの夫々の設定録画時間帯に基づき、複数の選局手段の夫々により選局される前記複数チャンネルの夫々の放送信号の録画を制御し、前記録画制御により録画された録画データの視聴履歴を収集し、前記視聴履歴に含まれた前記複数チャンネルの時間帯別の視聴頻度に基づき、前記複数チャンネルの夫々の前記設定録画時間帯を変更する。
【発明の効果】
【００１０】
本発明によれば、番組自動録画の制御により、ＨＤＤ等の記憶資源を有効活用することが可能な録画制御装置及び録画制御方法を提供することにある。
【発明を実施するための最良の形態】
【００１１】
以下、図面を参照し、本発明の実施形態について説明する。
【００１２】
以下、図面を参照してこの発明の種々な実施の形態を説明する。
【００１３】
図１は、この発明の一実施の形態に係るデジタル放送受信装置１０１（記録制御装置）の構成を説明する図である。デジタル放送受信装置１０１は、例えば番組録画制御装置を搭載したデジタルＴＶ、又は番組録画制御装置を搭載したデジタルレコーダである。ここでは、スクランブルされたデジタル放送信号を受信するチューナモジュール（地上デジタル放送受信用のチューナ、ＢＳ／ＣＳデジタル放送受信用のチューナなど）が８台以上ある場合を例にとって説明する。
【００１４】
第１のチューナ１０２で受信された放送番組の信号はＴＳ分離モジュール１０３に送られ、ＴＳ分離モジュール１０３は放送番組の信号から番組情報（ＥＣＭ）を分離する。この分離されたＥＣＭは、ＣＡＳ制御モジュール１０７を介して、カードスロット（カードインターフェースＩ／Ｆ）１０７ａに装着されたＣＡＳモジュール（ＩＣカードの形態を持つＣＡＳカード：以下、適宜ＣＡＳカードと呼称する）１０８に転送される。ＣＡＳカード１０８の中では、記憶されているワーク鍵（Ｋｗ）を用いてＥＣＭの暗号を復号してスクランブル鍵（Ｋｓ）を得る。同時にＥＣＭからその番組に関する属性情報を得て、ＣＡＳカード１０８に記憶されている契約情報と比較してデスクランブルを行うか否かが判定される。この判定を行う際に、番組の属性情報で指定される課金方式に基づいて制御が行われる。なお、暗号鍵ＫｓとＫｗは放送事業者毎に異なるが、全受信機で共通な鍵である。
【００１５】
また、第２のチューナ１１２で受信された放送番組の信号はＴＳ分離モジュール１１３に送られ、ＴＳ分離モジュール１１３は放送番組の信号からＥＣＭを分離する。分離されたＥＣＭはＣＡＳ制御モジュール１０７を介してＣＡＳカード１０８に転送される。以下同様に、第３のチューナ１２２で受信された放送番組の信号はＴＳ分離モジュール１２３に送られ、ＴＳ分離モジュール１２３は放送番組の信号からＥＣＭを分離する。分離されたＥＣＭはＣＡＳ制御モジュール１０７を介してＣＡＳカード１０８に転送される。また、第４のチューナ１３２で受信された放送番組の信号はＴＳ分離モジュール１３３に送られ、ＴＳ分離モジュール１３３は放送番組の信号からＥＣＭを分離する。分離されたＥＣＭはＣＡＳ制御モジュール１０７を介してＣＡＳカード１０８に転送される。また、第５のチューナ１４２で受信された放送番組の信号はＴＳ分離モジュール１４３に送られ、ＴＳ分離モジュール１４３は放送番組の信号からＥＣＭを分離する。分離されたＥＣＭはＣＡＳ制御モジュール１０７を介してＣＡＳカード１０８に転送される。また、第６のチューナ１５２で受信された放送番組の信号はＴＳ分離モジュール１５３に送られ、ＴＳ分離モジュール１５３は放送番組の信号からＥＣＭを分離する。分離されたＥＣＭはＣＡＳ制御モジュール１０７を介してＣＡＳカード１０８に転送される。また、第７のチューナ１６２で受信された放送番組の信号はＴＳ分離モジュール１６３に送られ、ＴＳ分離モジュール１６３は放送番組の信号からＥＣＭを分離する。分離されたＥＣＭはＣＡＳ制御モジュール１０７を介してＣＡＳカード１０８に転送される。また、第８のチューナ１７２で受信された放送番組の信号はＴＳ分離モジュール１７３に送られ、ＴＳ分離モジュール１７３は放送番組の信号からＥＣＭを分離する。分離されたＥＣＭはＣＡＳ制御モジュール１０７を介してＣＡＳカード１０８に転送される。
【００１６】
通常処理では、ＣＡＳ制御モジュール１０７は、各ＴＳ分離モジュール１０３〜１７３から送られてきたＥＣＭを到着順にＣＡＳカード１０８に送り、ＣＡＳカード１０８から応答されたスクランブル鍵Ｋｓを対応するデスクランブラモジュール１０４〜１７４に設定する。デスクランブラモジュール１０４〜１７４は、設定されたＫｓを用いて暗号化されたコンテンツのデスクランブルを行い、デスクランブルされた放送番組の信号を記録再生制御モジュール１０９に送出する。そして、記録再生制御モジュール１０９は放送番組の信号を記録モジュール１１１へ記録したり、ＡＶデコードモジュール１０５へ出力したりする。
【００１７】
記録モジュール１１１は、ＨＤＤ、ディスクドライブ、ＳＤ（登録商標）カードリーダライタであり、記録再生制御モジュール１０９からの放送番組の信号を記録する。記録モジュール１１１は、デジタル放送受信装置１０１の必須構成ではなく、デジタル放送受信装置１０１に対して接続される機器であってもよい。この場合、記録再生制御モジュール１１０からの出力は、ＩＥＥＥ１３９４インターフェース又はＨＤＭＩ（High-Definition Multimedia Interface）インターフェースなどを介して、記録モジュール１１１へ転送される。また、ＡＶデコードモジュール１０５は、放送番組の信号をＡＶ情報（映像および音声）へデコードする。
【００１８】
ＡＶ情報のデコード出力（ＡＶ出力）は、表示処理モジュール１０６を介して、表示装置２００又は外部モニタ（図示せず）に出力される。表示処理モジュール１０６は、ＯＳＤ（On Screen Display）等によりユーザへの情報を提示するための、ＧＵＩ（Graphical User Interface）機能を持っている。このＧＵＩ機能により、図２〜図５に示す録画設定画面が表示装置２００又は外部モニタに表示される。また、このＧＵＩ機能により、図６に示すＥＰＧ（電子番組ガイド）の画面が表示装置２００又は外部モニタに表示される。なお、デジタル放送受信装置１０１は、放送信号からＥＰＧを取得する。或いは、デジタル放送受信装置１０１は、ネットワーク経由でＥＰＧを取得する。
【００１９】
また、操作入力モジュール１８０は、ユーザからの各種操作を入力する。例えば、操作入力モジュール１８０は、ユーザからの自動録画の設定、録画時間の設定、録画時間帯の設定を入力する。操作入力モジュール１８０は、デジタル放送受信装置１０１に取り付けられた固定の操作パネルに相当するものであってもよいし、またデジタル放送受信装置１０１から分離したリモートコントローラであってもよい。
【００２０】
次に、自動録画時の録画時間設定について説明する。上記説明したように、デジタル放送受信装置１０１は、８つ以上のチューナモジュールを備えている。つまり、デジタル放送受信装置１０１が、少なくとも８チャンネルを同時録画することができる。
【００２１】
例えば、ユーザが、操作入力モジュール１８０を介して、チャンネル１〜８に対して自動録画を設定し、チャンネル１〜８に対して全日（２４時間）の録画時間帯を設定すると、記録再生制御モジュール１０９は、記録モジュール１１１の残容量に基づきチャンネル１〜８に対する録画可能時間（日数）を設定する。例えば、記録再生制御モジュール１０９は、チャンネル１〜８に対して、１０日の録画可能時間を設定する。記録再生制御モジュール１０９は、チャンネル１〜８の設定録時間帯（全日）及び録画可能時間（１０日）に基づき、チャンネル１〜８の１０日分の番組データを記録モジュール１１１へ録画し、その後は、記録再生制御モジュール１０９は、チャンネル１〜８の録画済み番組データのうちの最も古い番組データに対して、チャンネル１〜８の最も新しい番組データを上書きする。これにより、記録モジュール１１１には、常に、チャンネル１〜８の最新の１０日分の番組データが保持されることになる。
【００２２】
次に、図２〜７を参照し、最適自動録画について説明する。最初に、図２〜４を参照し第１の最適自動録画について説明する。
【００２３】
例えば、図２に示すように、チャンネル１〜８に対して全日（２４時間）の録画時間帯が設定され、チャンネル１〜８に対して２日の録画可能時間が設定され、自動録画が開始されるとする。これに伴い、記録モジュール１１１には、チャンネル１〜８の番組データが最大２日分蓄積される。或いは、図３に示すように、チャンネル１〜８に対してゴールデンタイム（１９：００〜２２：００）の録画時間帯が設定され、チャンネル１〜８に対して１６日の録画可能時間が設定され、自動録画が開始されるとする。これに伴い、記録モジュール１１１には、チャンネル１〜８の番組データが最大１６日分蓄積される。ユーザは、操作入力モジュール１８０を介して、記録モジュール１１１に蓄積された番組データを選択すると、記録再生制御モジュール１０９は選択された番組データを再生する。これにより、ユーザは、記録モジュール１１１に蓄積された番組データを視聴することができる。
【００２４】
このとき、記録再生制御モジュール１０９は、録画データの視聴履歴を収集する。記録再生制御モジュール１０９が収集する視聴履歴は、チャンネル１〜８の視聴頻度である。例えば、図４に示すように、記録再生制御モジュール１０９は、チャンネル１の録画データの視聴回数が８０回（又は視聴時間が８０時間など）、チャンネル６の録画データの視聴回数が５０回（又は視聴時間が５０時間など）、チャンネル４の録画データの視聴回数が３０回（又は視聴時間が３０時間など）、チャンネル７の録画データの視聴回数が５回（又は視聴時間が５時間など）、チャンネル５の録画データの視聴回数が５回（又は視聴時間が５時間など）、チャンネル２の録画データの視聴回数が０回（又は視聴時間が０時間など）、チャンネル８の録画データの視聴回数が０回（又は視聴時間が０時間など）、チャンネル３の録画データの視聴回数が０回（又は視聴時間が０時間など）を収集する。なお、所定時間以上（例えば１０分以上）の視聴を１回としてカウントする。
【００２５】
記録再生制御モジュール１０９は、チャンネル１〜８の視聴頻度に基づき、録画可能時間（日数）を変更する。例えば、視聴頻度の高いチャンネル１の録画可能時間（日数）を２日（又は１６日）から２３日へ変更し、視聴頻度のやや高いチャンネル６の録画可能時間（日数）を２日（又は１６日）から１６日へ変更し、標準的な視聴頻度のチャンネル４の録画可能時間（日数）を２日（又は１６日）から１０日へ変更し、視聴頻度のやや低いチャンネル７の録画可能時間（日数）を２日（又は１６日）から３日へ変更し、視聴頻度のやや低いチャンネル５の録画可能時間（日数）を２日（又は１６日）から３日へ変更し、視聴頻度の低いチャンネル８の録画可能時間（日数）を２日（又は１６日）から１日へ変更し、視聴頻度の低いチャンネル３の録画可能時間（日数）を２日（又は１６日）から１日へ変更する。
【００２６】
これにより、記録モジュール１１１の記憶資源を有効活用することができる。即ち、視聴頻度の高いチャンネル１については、約２３日分の録画データを蓄積する。これにより、ユーザは、２３日前に放送されたチャンネル１の番組を見ることができる。逆に、視聴頻度の低いチャンネル８、３については、約１日分の録画データだけを蓄積する。これにより、ユーザは、１日前に放送されたチャンネル８、３の番組だけを見ることができる。
【００２７】
なお、どのぐらい過去の番組データを視聴したかの履歴を収集し、この履歴に基づき録画可能時間（日数）を変動させるようにしてもよい。例えば、チャンネル１について、頻繁に２０日前の番組データを視聴することが分かれば、チャンネル１については、常時、２０日＋α（１、２日程度）分の録画データを蓄積するようにし、チャンネル２について、頻繁に１日前の番組データを視聴することが分かれば、チャンネル２については、常時、１日＋α（１、２日程度）分の録画データを蓄積するようにする。
【００２８】
なお、ストリームのレートはチャンネルごとに異なるため、チャンネルごとにストリームを考慮した上でチャンネルごとの録画可能時間分の記録容量を計算して、全チャンネルの記憶容量の総和が記録モジュール１１１の残容量を超えないようにする必要がある。
【００２９】
地上デジタル放送は、1787.28kbps／セグメントであり、地上デジタル放送のレートは、18255.77kbps 〜23.23464Mbpsになる。
【００３０】
BS/CSデジタル放送においては、伝送速度は28.860メガボーであり、変調方式8PQKの条件で、トレリス内符号化2/3、外符号化RS（204,188）が符号化上の最大となる。従って、全48スロットでは、情報レート≒28.860M×3（8PQK）×2/3（トレリス）×188/204（RS）×204/208（位相基準バースト）＝52.17Mbpsとなる。
【００３１】
つまり、録画再生制御モジュール１０９は、記録モジュール１１１の残容量、及びチャンネル１〜８の夫々に対して設定された設定録画時間帯、さらにチャンネル１〜８のレートに基づき、チャンネル１〜８の夫々に対して録画可能時間を算出する。
【００３２】
なお、デジタル放送受信装置１０１は、各チャンネルのレートに関する情報を放送信号の属性情報（例えばＥＰＧ）から取得する。或いは、デジタル放送受信装置１０１は、各チャンネルのレートに関する情報をネットワーク経由で取得する。
【００３３】
続いて、図５を参照し、第２の最適自動録画について説明する。
【００３４】
例えば、チャンネル１〜８に対して全日（２４時間）の録画時間帯が設定され、チャンネル１〜８に対して２日の録画可能時間が設定され、自動録画が開始されるとする。これに伴い、記録モジュール１１１には、チャンネル１〜８の番組データが最大２日分蓄積される。ユーザは、操作入力モジュール１８０を介して、記録モジュール１１１に蓄積された番組データを選択すると、記録再生制御モジュール１０９は選択された番組データを再生する。これにより、ユーザは、記録モジュール１１１に蓄積された番組データを視聴することができる。
【００３５】
このとき、記録再生制御モジュール１０９は、録画データの視聴履歴を収集する。記録再生制御モジュール１０９が収集する視聴履歴は、チャンネル１〜８の時間帯別の視聴頻度である。例えば、図５に示すように、チャンネル１〜８の、全日（００：００〜２４：００）、早朝（０４：００〜０７：００）、午前（０７：００〜１２：００）、午後（１２：００〜１９：００）、ゴールデンタイム（１９：００〜２２：００）、深夜（２２：００〜０２：００）などの時間帯別の視聴頻度である。
【００３６】
例えば、図５に示すように、記録再生制御モジュール１０９は、チャンネル１の早朝の録画データの視聴回数が２０回（又は視聴時間が２０時間など）、チャンネル１の午前の録画データの視聴回数が２０回（又は視聴時間が２０時間など）、チャンネル１の午後の録画データの視聴回数が２０回（又は視聴時間が２０時間など）、チャンネル１のゴールデンタイムの録画データの視聴回数が２０回（又は視聴時間が２０時間など）、チャンネル１の深夜の録画データの視聴回数が２０回（又は視聴時間が２０時間など）を収集する。なお、所定時間以上（例えば１０分以上）の視聴を１回としてカウントする。
【００３７】
同様に、記録再生制御モジュール１０９は、チャンネル２の早朝の録画データの視聴回数が１００回（又は視聴時間が１００時間など）、チャンネル２の午前の録画データの視聴回数が０回（又は視聴時間が０時間など）、チャンネル２の午後の録画データの視聴回数が０回（又は視聴時間が０時間など）、チャンネル２のゴールデンタイムの録画データの視聴回数が０回（又は視聴時間が０時間など）、チャンネル２の深夜の録画データの視聴回数が０回（又は視聴時間が０時間など）を収集する。
【００３８】
同様に、記録再生制御モジュール１０９は、チャンネル３の早朝の録画データの視聴回数が０回（又は視聴時間が０時間など）、チャンネル３の午前の録画データの視聴回数が０回（又は視聴時間が０時間など）、チャンネル３の午後の録画データの視聴回数が０回（又は視聴時間が０時間など）、チャンネル３のゴールデンタイムの録画データの視聴回数が１００回（又は視聴時間が１００時間など）、チャンネル３の深夜の録画データの視聴回数が０回（又は視聴時間が０時間など）を収集する。
【００３９】
同様に、記録再生制御モジュール１０９は、チャンネル４の早朝の録画データの視聴回数が０回（又は視聴時間が０時間など）、チャンネル４の午前の録画データの視聴回数が０回（又は視聴時間が０時間など）、チャンネル４の午後の録画データの視聴回数が０回（又は視聴時間が０時間など）、チャンネル４のゴールデンタイムの録画データの視聴回数が１００回（又は視聴時間が１００時間など）、チャンネル４の深夜の録画データの視聴回数が０回（又は視聴時間が０時間など）を収集する。
【００４０】
同様に、記録再生制御モジュール１０９は、チャンネル５の早朝の録画データの視聴回数が０回（又は視聴時間が０時間など）、チャンネル５の午前の録画データの視聴回数が０回（又は視聴時間が０時間など）、チャンネル５の午後の録画データの視聴回数が０回（又は視聴時間が０時間など）、チャンネル５のゴールデンタイムの録画データの視聴回数が５０回（又は視聴時間が５０時間など）、チャンネル５の深夜の録画データの視聴回数が５０回（又は視聴時間が５０時間など）を収集する。
【００４１】
同様に、記録再生制御モジュール１０９は、チャンネル６の早朝の録画データの視聴回数が２０回（又は視聴時間が２０時間など）、チャンネル６の午前の録画データの視聴回数が２０回（又は視聴時間が２０時間など）、チャンネル６の午後の録画データの視聴回数が２０回（又は視聴時間が２０時間など）、チャンネル６のゴールデンタイムの録画データの視聴回数が２０回（又は視聴時間が２０時間など）、チャンネル６の深夜の録画データの視聴回数が２０回（又は視聴時間が２０時間など）を収集する。
【００４２】
同様に、記録再生制御モジュール１０９は、チャンネル７の早朝の録画データの視聴回数が０回（又は視聴時間が０時間など）、チャンネル７の午前の録画データの視聴回数が０回（又は視聴時間が０時間など）、チャンネル７の午後の録画データの視聴回数が０回（又は視聴時間が０時間など）、チャンネル７のゴールデンタイムの録画データの視聴回数が１００回（又は視聴時間が１００時間など）、チャンネル７の深夜の録画データの視聴回数が０回（又は視聴時間が０時間など）を収集する。
【００４３】
同様に、記録再生制御モジュール１０９は、チャンネル８の早朝の録画データの視聴回数が０回（又は視聴時間が０時間など）、チャンネル８の午前の録画データの視聴回数が０回（又は視聴時間が０時間など）、チャンネル８の午後の録画データの視聴回数が０回（又は視聴時間が０時間など）、チャンネル８のゴールデンタイムの録画データの視聴回数が１００回（又は視聴時間が１００時間など）、チャンネル８の深夜の録画データの視聴回数が０回（又は視聴時間が０時間など）を収集する。
【００４４】
記録再生制御モジュール１０９は、チャンネル１〜８の時間帯別の視聴頻度に基づき、設定録画時間帯（全日）を変更し、さらに録画可能時間（２日）も変更する。例えば、各時間帯において均等に視聴されているチャンネル１の設定録画時間帯（全日）を引き続き全日に設定し、録画可能時間を２日から１０日へ変更し、早朝の時間帯において視聴頻度の高いチャンネル２の設定録画時間帯（全日）を早朝へ変更し、録画可能時間を２日から１０日へ変更し、ゴールデンタイムの時間帯において視聴頻度の高いチャンネル３の設定録画時間帯（全日）をゴールデンタイムへ変更し、録画可能時間を２日から１０日へ変更し、ゴールデンタイムの時間帯において視聴頻度の高いチャンネル４の設定録画時間帯（全日）をゴールデンタイムへ変更し、録画可能時間を２日から１０日へ変更し、ゴールデンタイムと深夜の時間帯において視聴頻度のやや高いチャンネル５の設定録画時間帯（全日）をゴールデンタイムと深夜へ変更し、録画可能時間を２日から１０日へ変更し、各時間帯において均等に視聴されているチャンネル６の設定録画時間帯（全日）を引き続き全日に設定し、録画可能時間を２日から１０日へ変更し、ゴールデンタイムの時間帯において視聴頻度の高いチャンネル７の設定録画時間帯（全日）をゴールデンタイムへ変更し、録画可能時間を２日から１０日へ変更し、ゴールデンタイムの時間帯において視聴頻度の高いチャンネル８の設定録画時間帯（全日）をゴールデンタイムへ変更し、録画可能時間を２日から１０日へ変更する。言い換えれば、変更録画時間帯は、基準値（例えば１０回又は１０時間）より高い視聴頻度が得られた時間帯を含み、基準値以下の視聴頻度が得られた時間帯を含まないということになる。
【００４５】
なお、上記説明では、チャンネル１〜８の録画可能時間を均一に１０日へ変更するケースについて説明したが、チャンネル１〜８の設定録画時間帯の長さに応じて、チャンネル１〜８の録画可能時間帯を変更するようにしてもよい。例えば、チャンネル１の設定録画時間帯は全日であるためチャンネル１の録画可能時間を５日に設定し、チャンネル２の設定録画時間帯は早朝だけであるためチャンネル２の録画可能時間を１５日に設定し、チャンネル３の設定録画時間帯はゴールデンだけであるためチャンネル３の録画可能時間を１５日に設定し、チャンネル４の設定録画時間帯はゴールデンだけであるためチャンネル４の録画可能時間を１５日に設定し、チャンネル５の設定録画時間帯はゴールデンと深夜であるためチャンネル５の録画可能時間を１０日に設定し、チャンネル６の設定録画時間帯は全日であるためチャンネル６の録画可能時間を５日に設定し、チャンネル７の設定録画時間帯はゴールデンだけであるためチャンネル７の録画可能時間を１５日に設定し、チャンネル８の設定録画時間帯はゴールデンだけであるためチャンネル８の録画可能時間を１５日に設定する。
【００４６】
なお、上記説明では、記録再生制御モジュール１０９が、チャンネル１〜８の時間帯別の視聴頻度に基づき、設定録画時間帯（全日）を変更し、さらに録画可能時間（２日）も変更するケースについて説明したが、記録再生制御モジュール１０９が、チャンネル１〜８の時間帯別及び曜日別の視聴頻度に基づき、設定録画時間帯（全日）を曜日別に変更し、さらに録画可能時間（２日）も変更するようにしてもよい。
【００４７】
次に、自動録画と番組指定録画の識別について説明する。デジタル放送受信装置１０１は、図６に示すＥＰＧの画面を表示装置２００又は外部モニタに表示することができる。このＥＰＧの画面は、自動録画情報と番組指定録画情報を含む。例えば、このＥＰＧの画面は、図５に示す自動録画の状態に対応した自動録画情報（太枠）と、チャンネル３の番組１７、チャンネル４の番組２２、及びチャンネル８の番組４３が録画指定された状態に対応した番組指定録画情報（ハッチング）とを含む。つまり、ユーザは、操作入力モジュール１８０を介して、自動録画を指定した上に、ＥＰＧ上のチャンネル３の番組１７、チャンネル４の番組２２、及びチャンネル８の番組４３を録画指定している。さらに、図６に示すＥＰＧの画面は、各チャンネル見出し項目の中に、自動録画の有無をアイコンや文字等で表示する。これにより、例えば、チャンネル２に対する自動録画の設定録画時間帯がＥＰＧの画面から外れていても、チャンネル２に対して自動録画が設定されていることが分かる。
【００４８】
このように、デジタル放送受信装置１０１は、自動録画情報と番組指定録画情報を含むＥＰＧを出力することができ、これによりユーザは、自動録画と番組指定録画を簡単に見分けることができる。
【００４９】
さらに、記録再生制御モジュール１０９は、自動録画の学習機能を有し、これにより、記録再生制御モジュール１０９は、番組指定録画の条件を自動録画に含めることもできる。例えば、記録再生制御モジュール１０９は、チャンネル３の番組１７、チャンネル４の番組２２、及びチャンネル８の番組４３の録画指定に基づき、チャンネル３の番組１７の時間帯（又はチャンネル３の番組１７の放送曜日の時間帯）、チャンネル４の番組２２の時間帯（又はチャンネル４の番組２２の放送曜日の時間帯）、及びチャンネル８の番組４３の時間帯（又はチャンネル８の番組４３の放送曜日の時間帯）を自動録画に含めることができる。
【００５０】
なお、本明細書中に記載のモジュールとは、ハードウェアで実現するものであっても良いし、ＣＰＵ等を使ってソフトウェアで実現するものであってもよい。
【００５１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５２】
【図１】この発明の一実施の形態に係るデジタル放送受信装置（記録制御装置）の構成を説明する図である。
【図２】録画設定画面の一例を示す図である。
【図３】録画設定画面の一例を示す図である。
【図４】録画設定画面の一例を示す図である。
【図５】録画設定画面の一例を示す図である。
【図６】ＥＰＧ画面の一例を示す図である。
【符号の説明】
【００５３】
１０１…デジタル放送受信装置、１０２〜１７２…チューナ、１０３〜１７３…トランスポートストリーム（ＴＳ）分離モジュール、１０４〜１７４…デスクランブラモジュール、１０５〜１７５…ＡＶデコードモジュール、１０６…表示処理モジュール、１０７…ＣＡＳ制御モジュール、１０７ａ…カードスロット（カードインターフェースＩ／Ｆ）、１０８…ＣＡＳモジュール（ＣＡＳカード／ＩＣカード）、１０９…記録再生制御モジュール、１１１…記録モジュール、１１２…操作入力モジュール、２００…表示装置
【図１】
2010041079.tif 000003
【図２】
2010041079.tif 000004
【図３】
2010041079.tif 000005
【図４】
2010041079.tif 000006
【図５】
2010041079.tif 000007
【図６】
2010041079.tif 000008